(57)【特許請求の範囲】
【請求項１】
使用時に蒸気を排出する電気機器を配置可能な収納部を有するキャビネット本体と、前記電気機器が前記収納部内で載置される載置台と、前記収納部内で前記電気機器から排出された蒸気を前記収納部外に排気する蒸気処理装置と、前記収納部の正面側を開閉可能な開閉扉と、を備えた家電収納キャビネットであって、
前記開閉扉の扉板には、その下端部に、前記蒸気処理装置が運転されることにより、前記載置台の正面側から該載置台の上方に向かう気流と、前記載置台の下方を通過し、該載置台の背面側から上方に向かう気流と、が発生する通気孔が設けられており、前記通気孔は、前記載置台の正面側から該載置台の上方に向かう気流が発生する第１通気孔と、前記載置台の下方を通過し、該載置台の背面側から上方に向かう気流が発生する第２通気孔と、から構成されていることを特徴する家電収納キャビネット。
【発明の詳細な説明】
【技術分野】
【０００１】
本発明は、キャビネット本体の収納部に電気機器を収納可能であり、電気機器より排出された蒸気を収納部外に排気する蒸気処理装置が設けられた家電収納キャビネットに関する。
【背景技術】
【０００２】
従来、内部が前面（正面側）に開口する収納部に形成された収納体（キャビネット本体）を有し、この収納部内には家庭電気器具（電気機器）を載置する底板（載置台）がスライド機構を介して前方に引き出し自在に収納されているとともに、収納部前端部は扉（開閉扉）によって覆っており、収納部の上部には、家庭電気器具から排出された熱や水蒸気を収納部の外部に排気する換気装置（蒸気処理装置）が設けられている収納キャビネット（家電収納キャビネット）がある。このような収納キャビネットにおいては、底板に上下方向に貫通する通気孔が設けられており、換気装置を運転することで外部の空気を扉の下方から収納部内に流入させ、底板の通気孔を介して収納部の下方から換気装置に向けて発生する気流によって収納部内の水蒸気を排気している（例えば、特許文献１参照）。
【０００３】
【特許文献１】特開平２００８−３６２２４号公報（第５頁、第１図）
【発明の開示】
【発明が解決しようとする課題】
【０００４】
しかしながら、特許文献１に記載の家電収納キャビネットにあっては、収納部内の気流の経路は通気孔を介して収納部の下方から換気装置に向けて発生するものだけであるので、収納部の正面側及び背面側には蒸気が滞留したままになってしまい、結露が発生することで黴等が発生しやすいという問題があった。
【０００５】
本発明は、このような問題点に着目してなされたもので、収納部内の正面側及び背面側での結露の発生を防ぐことのできる家電収納キャビネットを提供することを目的とする。
【課題を解決するための手段】
【０００６】
前記課題を解決するために、本発明の請求項１に記載の家電収納キャビネットは、使用時に蒸気を排出する電気機器を配置可能な収納部を有するキャビネット本体と、前記電気機器が前記収納部内で載置される載置台と、前記収納部内で前記電気機器から排出された蒸気を前記収納部外に排気する蒸気処理装置と、前記収納部の正面側を開閉可能な開閉扉と、を備えた家電収納キャビネットであって、
前記開閉扉の扉板には、その下端部に、前記蒸気処理装置が運転されることにより、前記載置台の正面側から該載置台の上方に向かう気流と、前記載置台の下方を通過し、該載置台の背面側から上方に向かう気流と、が発生する通気孔が設けられており、前記通気孔は、前記載置台の正面側から該載置台の上方に向かう気流が発生する第１通気孔と、前記載置台の下方を通過し、該載置台の背面側から上方に向かう気流が発生する第２通気孔と、から構成されていることを特徴としている。
この特徴によれば、収納部内に、載置台の正面側から上方に向かう気流と、載置台の下方を通過して載置台の背面側から上方に向かう気流の２つの気流が発生するので、収納部内の正面側及び背面側に沿って蒸気を蒸気処理装置によって排気することができるので、収納部内の正面側及び背面側において結露の発生を防ぐことができる。また載置台の正面側から載置台の上方に向かう気流と、載置台の下方を通過し、載置台の背面側から上方に向かう気流を、それぞれ異なる通気孔から発生させるので、第１通気孔及び第２通気孔は、正確に向きの異なる気流を発生させることができる。
【発明を実施するための最良の形態】
【００１２】
本発明に係る家電収納キャビネットを実施するための最良の形態を実施例に基づいて以下に説明する。
【実施例１】
【００１３】
本発明の実施例１を図面に基づいて説明すると、先ず図１は、本発明の実施例における家電収納キャビネットの全体像を示す斜視図であり、図２は、家電収納キャビネットを示す縦断側面図であり、図３は、開閉扉の下端部を示す要部拡大縦断側面図であり、図４は、下方収納部内での気流の流れを示す縦断側面図であり、図５は、下方収納部の開放状態を示す正面図であり、図６は、下方収納部内での仕切板の着脱を示す縦断側面図である。以下、図２、図３、図４および図６の紙面左側を家電収納キャビネットの正面側とし、図５の紙面手前側を家電収納キャビネットの正面側として説明する。
【００１４】
図１の符号１は、本発明の適用された家電収納キャビネットである。この家電収納キャビネット１は、例えば、各家庭のキッチン内に設置されて使用されるキャビネットである。この家電収納キャビネット１は、略筐体形状のキャビネット本体２を備えており、このキャビネット本体２内には、キッチンで使用される炊飯器やコーヒーメーカー等の電気機器が収納可能となっている。
【００１５】
上述の家電収納キャビネット１について図１及び図２に基づき詳述する。この家電収納キャビネット１を構成するキャビネット本体２は、左右の側板３，３と、天板４と、背板５と、により構成されており、正面側に開口を有し、キャビネット本体２内部は、側板３，３と、天板４と、背板５と、により囲まれた収納部６に形成されている。
【００１６】
この収納部６には、上下方向に複数（本実施例では２枚）の棚板７が、側板３，３間に渡設されることで取り付けられている。上方の棚板７によって収納部６は上方収納部６ａと、下方収納部６ｂに分割されている。
【００１７】
更に、図５に示すように、下方収納部６ｂ内の下方の棚板７上面には、左右にスライドレール８，８が設けられている。これらスライドレール８，８間には上面に電気機器を載置可能な、左右幅が収納部６の左右幅よりも短い載置台９が配置されている。尚、この載置台９は、図３に示すように、棚板７との間に間隙１０を形成した状態で、左右のスライドレールによって下方収納部６ｂ内と家電収納キャビネット１の正面外方とを前後移動自在に支持されている。
【００１８】
そして、載置台９の上面には、図２に示すように、電気炊飯器や、電気ポット、コーヒーメーカー等（図示せず）の使用時に熱や蒸気を排出する電気機器が載置可能になっており、上方収納部６ａには電気機器としての電気炊飯器や、電気ポット、コーヒーメーカー等を収納可能となっている。
【００１９】
特に、図４及び図５に示すように、下方収納部６ｂ内の上部の、側板３，３には、後述の仕切板２０をネジで固定するためのＬ字状の固定金具１２が取り付けられており、この固定金具１２の正面側には、下方収納部６ｂに収納された電気機器から排出される蒸気を吸引した後に、家電収納キャビネット１の正面側に排気を行う蒸気処理装置１３が、側板３，３に取り付けられた正面視Ｌ字形状の支持材１４．１４に、図示しないネジに螺着されることによって支持されている。
【００２０】
この蒸気処理装置１３には、図４に示すように、底面に開口し、下方収納部６ｂ内の蒸気を吸引するための吸入口１３ａと、正面側に開口し、吸入口１３ａから吸引した蒸気を家電収納キャビネット１の正面外方に向けて排出する排気口１３ｂ（図１及び図５参照）が設けられている。また、蒸気処理装置１３内には、蒸気処理装置１３が運転することで回転する排気ファン１３ｃが設けられており、この排気ファン１３ｃが回転することによって吸入口１３ａからの蒸気の吸入と、排気口１３ｂからの蒸気の排気が行われる。
【００２１】
図２に示すように、下方収納部６ｂ内である背板５には、電気機器に電力を供給するための電源コンセント１５が設けられている。そして、この電源コンセント１５からは、キャビネット本体２の背面側から先端部に電源プラグ１６が設けられた電源コード１７が延設されている。この電源プラグ１６が外部の図示しない交流電源に接続されることによって、電気機器に交流電力を供給できるようになっている。
【００２２】
更に、蒸気処理装置１３の後端部は、蒸気処理装置１３に電力を供給する本実施例における配線としての電源コード１８が接続される配線部１３ｄとなっている。この配線部１３ｄに接続された電源コード１８は、背板５に穿設された連通孔５ａから家電収納キャビネット１の外方に延設されることで、外部の図示しない交流電源に接続されている。尚、余剰分の電源コード１８は、蒸気処理装置１３後端部と、背板５と、の間の空間に収納されている。つまり、蒸気処理装置１３後端部と、背板５と、後述する仕切板２０と、で囲まれる空間は、本実施例における配線空間１９を構成している。
【００２３】
この配線空間１９は、下方収納部６ｂ内の電気機器より排出された蒸気が浸入しないよう、着脱自在な仕切板２０によって下方収納部６ｂと仕切られている。具体的には、図６に示すように、配線空間１９と下方収納部６ｂとを仕切る仕切板２０は、固定金具１２からキャビネット本体２の背板５に向かって下方に傾斜を成すように取り付けられる板体であり、その外周端縁部には、側板３，３若しくは背板５に当接することによって配線空間１９と下方収納部６ｂを水密に仕切る本実施例におけるシール部材としてのパッキン２１が設けられている。
【００２４】
また、仕切板２０の上端部は床面と平行となるように正面側に向けて屈曲された水平片２０ａに形成されており、下端部は床面と垂直となるように下方に向けて屈曲された垂直片２０ｂに形成されている。そして、水平片２０ａを固定金具１２の底面に、垂直片２０ｂを背板５の正面にそれぞれ当接させ、ネジによって螺着することで仕切板２０を配線空間１９と下方収納部６ｂ間に取り付けている。尚、仕切板２０には差込片２０ｃを設けずに、水平片２０ａを支持材１４，１４に螺着することで、仕切板２０を配線空間１９と下方収納部６ｂ間に取り付けてもよい。
【００２５】
更に、仕切板２０の水平片２０ａの先端からは、水平片２０ａと垂直な差込片２０ｃが上方に向かって延設されている。この差込片２０ｃは、仕切板２０を配線空間１９と下方収納部６ｂ間に取り付ける際に、蒸気処理装置１３と、固定金具１２間に下方から差し込まれる。尚、このとき、図６に示すように、蒸気処理装置１３の後端部にパッキン２２を設け、差込片２０ｃの正面側にパッキン２２を当接させてから蒸気処理装置１３を支持材１４．１４に固定することによって、蒸気処理装置１３の後端部と固定金具１２間から蒸気が配線空間１９に浸入することを防止している。
【００２６】
図２に示すように、キャビネット本体２には開閉扉２３，２４が上下２つ取り付けられており、棚板７によって分割された上方収納部６ａ及び下方収納部６ｂを開放可能及び閉塞可能となっている。詳しくは、これら開閉扉２３，２４は、上方収納部６ａ及び下方収納部６ｂを閉塞する扉板２３ａ，２４ａの背面の左右端と、キャビネット本体２の左右側板３，３の内側面をリンクアーム２５，２５によって連結することで、上方収納部６ａ及び下方収納部６ｂの上方または下方に退避可能となっている。
【００２７】
また、上方収納部６ａを閉塞する開閉扉２３の扉板２３ａの下端部には、扉板２３ａの左右方向に沿って使用者が収納部６を開放する際に掴む把手２６が取り付けられており、同一の把手２６が、下方収納部６ｂを閉塞する開閉扉２４の扉板２４ａの上端部にも取り付けられている。そして、上方収納部６ａ及び下方収納部６ｂの閉塞時には、把手２６を掴み、開閉扉２３，２４を家電収納キャビネット１の上方または下方に向けて牽引操作することで、上方収納部６ａ及び下方収納部６ｂを正面側から閉塞する。
【００２８】
更に、図３に示すように、下方収納部６ｂを閉塞する開閉扉２４の扉板２４ａの下端部には、家電収納キャビネット１の正面外方と、下方収納部６ｂ内を連通する本実施例における通風孔としての第１通気孔２７と、第２通気孔２８と、が設けられている。これら第１通気孔２７及び第２通気孔２８は、扉板２４ａの左右方向の略全長に亘って設けられたスリットである。
【００２９】
尚、第１通気孔２７及び第２通気孔２８は、扉板２４ａに対して正面側から平行に穿設された後、扉板２４ａの背面側から所定の角度を成して穿設されている。具体的には、図３に示すように、第１通気孔２７は、扉板２４ａ内の途上から所定角度θにて上方に向かって傾斜を成しており、第２通気孔２８は、扉板２４ａ内の途上から所定角度θにて下方に向かって傾斜を成している。更に尚、第１通気孔２７及び第２通気孔２８が成す傾斜角度θは、９０度未満の鋭角であり、第１通気孔２７と第２通気孔２８が成す傾斜角度θは、必要な吸気高さとなるように、第１通気孔２７と第２通気孔２８で個別に相違する角度に設定してもよい。
【００３０】
そして、これら第１通気孔２７及び第２通気孔２８は、下方収納部６ｂが開閉扉２４によって閉塞された状態で蒸気処理装置１３が運転されると、家電収納キャビネット１の正面外方の空気を下方収納部６ｂ内に吸入するようになっている。このとき、下方収納部６ｂ内では、図４に示すように、第１通気孔２７で家電収納キャビネット１の正面外方から吸入した空気によって、載置台９の正面側において、扉板２４ａの背面近傍を上方に向かう本発明における気流としての前方上昇気流３０が発生する。
【００３１】
このため、電気機器から排出された後に下方収納部６ｂの正面側に滞留する蒸気は、前方上昇気流３０によって蒸気処理装置１３の吸入口１３ａまで押し上げられて、下方収納部６ｂ内から排気される。
【００３２】
尚、扉板２４ａの背面側である第１通気孔２７近傍には、第１通気孔２７で上方に向かって所定角度θで吸引した空気を、扉板２４ａの背面側近傍に沿って略垂直方向に上昇する前方上昇気流３０とする整流板２９が設けられている。
【００３３】
また、第２通気孔２８で家電収納キャビネット１の正面外方から吸入した空気によって、載置台９の背面側から上方に向かう本発明における気流としての後方上昇気流３１が発生する。具体的には、後方上昇気流３１は、下方収納部６ｂ内において、第２通気孔２８から下方に向かって所定角度θを成して発生し、棚板７と載置台９の間に形成されている間隙１０を通過して、下方収納部６ｂの後端部である背板５の下端部から、背板５の正面側に沿って上昇する。
【００３４】
このため、電気機器から排出された後に下方収納部６ｂの背面側に滞留する蒸気は、後方上昇気流３１によって蒸気処理装置１３の吸入口１３ａまで押し上げられて、下方収納部６ｂ内から排気される。尚このとき、後方上昇気流３１は、途中から下方収納部６ｂと配線空間１９を水密に仕切る仕切板２０によってガイドされることによって、蒸気処理装置１３の吸入口１３ａまで蒸気を円滑に案内している。
【００３５】
尚、図５に示すように、載置台９の左右幅は下方収納部６ｂの左右幅よりも短いので、棚板７と載置台９の間に形成されている間隙１０を通過した空気の一部は、左右の側板３，３と、載置台９のスライドレール８，８間を通過する。このとき、蒸気処理装置１３からの吸引力を受けることによって、載置台９の左右側方より上方に向かう本実施例における気流としての側方上昇気流３２，３２が発生する。
【００３６】
このため、電気機器から排出された後に下方収納部６ｂの左右側方に滞留する蒸気は、側方上昇気流３２によって蒸気処理装置１３の吸入口１３ａまで運ばれて、下方収納部６ｂ内から排気される。
【００３７】
上述したように、下方収納部６ｂの正面側からは前方上昇気流３０が、背面側からは後方上昇気流３１が、左右側方からは側方上昇気流３２，３２が、それぞれ蒸気処理装置１３の吸入口１３ａに向けて発生するので、開閉扉２４により下方収納部６ｂを閉塞した状態であっても、下方収納部６ｂ内から蒸気を効果的に排気することができる。
【００３８】
以上、本実施例における家電収納キャビネット１においては、蒸気処理装置の背面側には、蒸気処理装置１３の電源コード１８が収納される配線空間１９が設けられており、配線空間１９と、下方収納部６ｂとは、仕切板２０により着脱自在に仕切られているので、仕切板２０を取り外すことで配線空間１９と下方収納部６ｂを連通させることができるので、蒸気処理装置１３の点検作業等の際に、蒸気処理装置１３を家電収納キャビネット１から取り外すことなく、家電収納キャビネット１の正面側から配線空間１９にアプローチして蒸気処理装置１３の配線部１３ｄの点検作業を行なうことができる。
【００３９】
また、仕切板２０は、キャビネット本体２の背面側に向かって下方に傾斜を成して設けられているので、下方収納部６ｂ内背面側で電気機器より排出された蒸気は、仕切板２０の傾斜に沿って蒸気処理装置１３に誘導されるので、下方収納部６ｂ内背面側での蒸気の滞留を防ぎ、下方収納部６ｂ内の蒸気による結露を減少させることができる。
【００４０】
また、仕切板２０は、キャビネット本体２の背面側に配置された背板５と、蒸気処理装置１３を支持する支持材１４．１４間に取り付けられているので、家電収納キャビネット１の正面側からの仕切板２０の着脱を容易に行うことができる。
【００４１】
また、仕切板２０の外周端縁部には、配線空間１９と下方収納部６ｂ間を水密に仕切るパッキン２１が設けられているので、電気機器から排出される蒸気が仕切板２０を超えて配線空間１９内に浸入することがなくなるので、蒸気処理装置１３の配線部１３ｄが蒸気により故障することを防止することができる。
【００４２】
また、下方収納部６ｂ正面側には、下方収納部６ｂ内に空気を吸入させる第１通気孔２７及び第２通気孔２８が形成された開閉扉２４が設けられているので、開閉扉２４によって下方収納部６ｂが閉塞された状態であっても、蒸気処理装置１３を運転することで、第１通気孔２７及び第２通気孔２８から吸入した空気から上方に向かう前方上昇気流３０と、後方上昇気流３１と、側方上昇気流３２を発生させ、電気機器から排出された蒸気を下方収納部６ｂ外に排気することができる。
【実施例２】
【００４３】
次に、実施例２に係る家電収納キャビネットにつき、図７を参照して説明する。尚、前記実施例と同一構成で重複する構成を省略する。
【００４４】
図７は、実施例２における開閉扉の下端部を示す要部拡大縦断側面図である。以下、図７の紙面左側を家電収納キャビネットの正面側として説明する。
【００４５】
図７に示すように、下方収納部６ｂを閉塞する開閉扉３３の扉板３３ａの下端部には、家電収納キャビネット１の正面外方と、下方収納部６ｂ内を連通する本実施例における通風孔としての第１通気孔２７が設けられている。
【００４６】
また、棚板３４の前端部は、下方収納部６ｂが開閉扉３３によって閉塞されると略面一となる位置まで正面側に延設されており、上方に向かって突部３４ａが立設されている。この突部３４ａには、家電収納キャビネット１の正面外方と、下方収納部６ｂ内を連通する本実施例における通風孔としての第２通気孔３５が設けられている。この第２通気孔３５は、棚板３４の正面側から並行に穿設されており、蒸気処理装置１３が運転されると、第２通気孔３５で発生する後方上昇気流３１は、載置台９と棚板３４間の間隙１０を背板５まで直進する。
【００４７】
以上、下方収納部６ｂ内に、載置台９の正面側から上方に向かう前方上昇気流３０と、載置台９の下方を通過して載置台９の背面側から上方に向かう後方上昇気流３１の２つの気流が発生するので、下方収納部６ｂ内の正面側及び背面側に沿って蒸気を蒸気処理装置１３によって排気することができるので、下方収納部６ｂ内の正面側及び背面側において結露の発生を防ぐことができる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、下方収納部６ｂの上方に蒸気処理装置１３を設け、扉板２４ａの下端部に前方上昇気流３０を発生させる第１通気孔２７と、後方上昇気流３１を発生される第２通気孔２８が穿設されたが、蒸気処理装置１３は上方収納部６ａの上方に設けられていてもよく、その場合も、扉板２３ａの下端部に第１通気孔２７及び第２通気孔２８が穿設される。
【００５０】
また、前記実施例では、扉板２４ａに第１通気孔２７及び第２通気孔２８が穿設されたが、扉板２４ａに穿設される通気孔は１つとし、扉板２４ａの背面側に通気孔から発生する気流を上方に方向付ける整流板と、下方に方向付ける整流板を設けることによって前方上昇気流３０と、後方上昇気流３１が発生するようにしてもよい。
【００５１】
また、前記実施例では、扉板２４ａの背面側に第１通気孔２７から発生する前方上昇気流３０を上方に方向付ける整流板２９を設けたが、載置台９の前端部に、載置台９を引き出す把手を設け、この把手の上端部を、正面側から背面側にかけて上方に向かって傾斜させるように形成することによって、把手に整流板の働きを兼ねさせてもよい。
【００５２】
また、前記実施例では、第２通気孔３５を棚板３４の前端部に延設された突部３４ａに設けたが、下方収納部６ｂの下方がオープンスペースであれば、棚板３４に通気孔を設けてもよく、棚板３４と背板５の間に間隙を設けて通気孔にしてもよく、背板５に通気孔を設けてもよい。
【図面の簡単な説明】
【００５３】
【図１】本発明の実施例１における家電収納キャビネットの全体像を示す斜視図である。
【図２】家電収納キャビネットを示す縦断側面図である。
【図３】開閉扉の下端部を示す要部拡大縦断側面図である。
【図４】下方収納部内での気流の流れを示す縦断側面図である。
【図５】下方収納部の開放状態を示す正面図である。
【図６】下方収納部内での仕切板の着脱を示す縦断側面図である。
【図７】実施例２における開閉扉の下端部を示す要部拡大縦断側面図である。
【符号の説明】
【００５４】
１                家電収納キャビネット
２                キャビネット本体
５                背板
６                収納部
６ａ              上方収納部
６ｂ              下方収納部
９                載置台
１３              蒸気処理装置
１４              支持材
１７，１８        電源コード
１９              配線空間
２０              仕切板
２１              パッキン（シール部材）
２３              開閉扉
２４              開閉扉
２４ａ            扉板
２７              第１通気孔（通気孔）
２８              第２通気孔（通気孔）
２９              整流板
３０              前方上昇気流（気流）
３１              後方上昇気流（気流）
３２              側方上昇気流（気流）
３３              開閉扉
３３ａ            扉板
３４              棚板
３５              第２通気孔（通気孔）
【図１】
0005205092.tif 000002
【図２】
0005205092.tif 000003
【図３】
0005205092.tif 000004
【図４】
0005205092.tif 000005
【図５】
0005205092.tif 000006
【図６】
0005205092.tif 000007
【図７】
0005205092.tif 000008